(57)【要約】【課題】カットナイフを別のカットナイフに交換することなく使用可能とし、取り換え作業を少なくし、経済性においてもすぐれたカットナイフ付きチゼルを備えた圃場作業機を実現する。【解決手段】圃場作業機は、ジョイント３を介してトラクタ３９の３点リンクに連結し、フレーム、ビーム２１、ウイング３０、チゼル２５及びチゼル２５に取付けられたカットナイフ２６を備え、側面視で二等辺三角形のカットナイフ２６の２つの斜辺部にはそれぞれ第１の切断刃５４及び第２の切断刃５５が形成され、カットナイフ２６の底辺部４４の凸部をチゼルの前面に当接し、ボルトで固定することで、第１の切断刃５４及び第２の切断刃５５のいずれかを作業進行方向前方に向かうように取り換え自在に、チゼルの前面に着脱可能に固定する。【選択図】図３
2014180229.tif 000002
【特許請求の範囲】
【請求項１】
フレームと、該フレームに支持されたビームと、該ビームに取付けられたチゼル及びウイングと、該チゼルに取付けられたカットナイフと、を備え、トラクタに連結される圃場作業機であって、
カットナイフは、側面視で２つの斜辺部と底辺部とから成る二等辺三角形であり、
２つの斜辺部にはそれぞれ切断刃が形成され、底辺部には凸部が形成されており、
カットナイフは、その底辺部の凸部をチゼルの前面に当接し、ボルトで固定することで、２つの斜辺部の切断刃のいずれかを作業進行方向前方に向かうように取り換え自在に、チゼルの前面に着脱可能に固定される構成であることを特徴とする請求項１に記載の圃場作業機。
【請求項２】
ジョイントを介してトラクタの３点リンクに連結されることを特徴とする請求項１に記載の圃場作業機。
【請求項３】
カットナイフの底辺部には、タップ穴が形成されていることを特徴とする請求項１又は２に記載の圃場作業機。
【請求項４】
ジョイントは、略Ａ字型のフレームと、フレームの中央上部に固定された頂部取付片と、フレームに固定された装着プレートと、フレームの左右下端部にそれぞれ固定された装着部とを備えており、頂部取付片にはトラクタのアッパリンクを取付け、装着プレートには圃場作業機のマストを取付け、装着部には圃場作業機の左右のロアリンク支持ブラケットを取付ける構成であることを特徴とする請求項１〜３のいずれかに記載の圃場作業機。
【発明の詳細な説明】
【技術分野】
【０００１】
本発明は、圃場作業機に関し、特に、スタブルカルチ作業機に関する。
【背景技術】
【０００２】
圃場の比較的浅い土壌に対する耕耘作業を行うための圃場作業機として、スタブルカルチ作業機が知られている（特許文献１〜４参照）。図６は従来のスタブルカルチ作業機を示すが、その構成は、本発明の特徴とするカットナイフ等の構成を除いて、全体的には後記する本発明のスタブルカルチ作業機と略同じ（共通する部分は同じ符号を記載）であるから、ここでは説明は省く。
【０００３】
従来のスタブルカルチ作業機７０は、図６、図７に示すように、ビーム２１を有し、このビーム２１の下部の前面にチゼル２５が固定されている。そして、圃場に粘質土壌が含まれており掘削しても土塊が生じやすい場合等のために、チゼル２５の前面にカットナイフ７１が装着されており、また、掘削する土壌の深さを一定にするウイング３０も装着されている。なお、カットナイフ７１を備えていないチゼルもある。
【０００４】
このような構成のスタブルカルチ作業機７０は、そのチゼル２５で、圃場の比較的浅い地中の土を掘削し、さらに掘削した土のうち土塊をカットナイフ７１によって切断して割る耕耘作業を行う。特に、圃場に粘質土壌が含まれていると、チゼル２５で掘削しても、粘質土壌のために土塊として残りやすい。そこで、チゼル２５の前面にカットナイフ７１を設けると、上記のとおり土塊を切断して割ることが可能となる。
【先行技術文献】
【特許文献】
【０００５】
【特許文献１】特開２０１０−０９４０３７号公報
【特許文献２】特開２００１−１４８９０１号公報
【特許文献３】特開２００２−２１８８０１号公報
【特許文献４】特開２００５−００６６１３号公報
【発明の概要】
【発明が解決しようとする課題】
【０００６】
スタブルカルチ作業機７０のカットナイフ７１は、粘質の土壌、砂質の土壌、土塊等を切断して割るために、その切断刃が摩耗し損傷し易い。従来のスタブルカルチ作業機７０では、チゼル２５の前面に装着したカットナイフ７１は、図７に示すように、下方から斜め上方に向けて伸びた一つの切断刃７２のみを有するものである。
【０００７】
従って、切断刃が摩耗し損傷した場合は、新しい切断刃に交換する必要がある。この交換作業は、スタブルカルチ作業機をトラクタに装着し、リフトアップした状態での作業となり面倒であり、カットナイフ７１の予備をいくつか用意しなくてはならず、経済性においても好ましくはない。
【０００８】
本発明は、従来のカットナイフ付きチゼルを備えたスタブルカルチ作業機における上記問題を解決することを目的とするものであり、カットナイフをなるべく予備用の別のカットナイフに交換することなく使用可能とし、交換するとしても予備用の別のカットナイフへの取り換えを少なくし、経済性においてもすぐれたカットナイフ付きチゼルを備えたスタブルカルチ作業機を実現することを課題とする。
【課題を解決するための手段】
【０００９】
本発明は上記課題を解決するために、フレームと、該フレームに支持されたビームと、該ビームに取付けられたチゼル及びウイングと、該チゼルに取付けられたカットナイフと、を備え、トラクタに連結される圃場作業機であって、カットナイフは、側面視で２つの斜辺部と底辺部とから成る二等辺三角形であり、２つの斜辺部にはそれぞれ切断刃が形成され、底辺部には凸部が形成されており、カットナイフは、その底辺部の凸部をチゼルの前面にボルトで固定することで、２つの斜辺部の切断刃のいずれかを作業進行方向前方に向かうように取り換え自在に、チゼルの前面に着脱可能に固定される構成であることを特徴とする請求項１に記載の圃場作業機を提供する。
【００１０】
ジョイントを介してトラクタの３点リンクに連結される構成としてもよい。
【００１１】
カットナイフの底辺部には、タップ穴が形成されている構成としてもよい。
【００１２】
ジョイントは、略Ａ字型のフレームと、フレームの中央上部に固定された頂部取付片と、フレームに固定された装着プレートと、フレームの左右下端部にそれぞれ固定された装着部とを備えており、頂部取付片にはトラクタのアッパリンクを取付け、装着プレートには圃場作業機のマストを取付け、装着部には圃場作業機の左右のロアリンク支持ブラケットを取付ける構成としてもよい。
【発明の効果】
【００１３】
本発明に係る圃場作業機は、チゼルに装着するカットナイフに、複数の切断刃を設けたので、１つのカットナイフにおいて、１つの切断刃が摩耗、損傷した際には、該カットナイフにおける別の切断刃を使用するように装着しなおせば、別のカットナイフを用意することなく、１つのカットナイフを有効活用することができ、取り換え作業も簡単となり、経済性も向上する。
【図面の簡単な説明】
【００１４】
【図１】本発明に係る圃場作業機の一実施例であるスタブルカルチ作業機の耕起作業時の斜視図である。
【図２】上記実施例のスタブルカルチ作業機の耕起作業時の平面図である。
【図３】上記実施例のスタブルカルチ作業機の耕起作業時の側面図である。
【図４】上記実施例のスタブルカルチ作業機をトラクタに取付けるためのジョイントを説明する図であり、（ａ）は平面図であり、（ｂ）は斜視図であり、（ｃ）は側面図であり、（ｄ）は正面図である。
【図５】（ａ）、（ｂ）は上記実施例のスタブルカルチ作業機のビーム、チゼル及びカットナイフの構成を説明する図であり、（ｃ）はカットナイフの構成を説明する図である。
【図６】従来のスタブルカルチ作業機の全体構成を示す斜視図である。
【図７】上記従来のスタブルカルチ作業機のビーム、チゼル及びカットナイフの構成を説明する図である。
【発明を実施するための形態】
【００１５】
本発明に係る圃場作業機を実施するための形態を実施例に基づき図面を参照して、以下説明する。
【実施例】
【００１６】
本発明に係る圃場作業機の実施例として、耕耘のための作業具として掘削ユニット（後記するがビーム、カットナイフ、チゼル及びウイングを備えた作業具）を備えたスタブルカルチ作業機を、図１〜図５において説明する。
【００１７】
本明細書では、左右は、スタブルカルチ作業機の作業時の進行方向に向かって左側右側（左右方向はスタブルカルチ作業機の作業時の進行方向に直交する方向）とし、前後（前方及び後方）は、スタブルカルチ作業機の作業時の進行方向に向かって前後（前方及び後方）であるものとする。
【００１８】
本発明の実施例のスタブルカルチ作業機１は、図１〜４に示すように、トラクタ（図示せず）の３点ヒッチリンク２に、ジョイント３を介して連結される。また、ジョイントを使用せず、直接トラクタの３点ヒッチリンクに連結される場合もある。
【００１９】
スタブルカルチ作業機１は、主な構成要素として、図１〜図５に示すように、前方フレーム６及び後方フレーム７と、左右の外側結合フレーム８と、左右の内側結合フレーム９と、複数の取付けアーム１０と、マスト１１と、左右のロアリンク支持ブラケット１２と、複数の前方掘削ユニット１３及び後方掘削ユニット１４と、左右の連結プレート１５と、砕土鎮圧用ローラ装置１６と、を備えている。               
【００２０】
前方フレーム６及び後方フレーム７は、それぞれ左右方向に向けて水平に配置されている。左右の内側結合フレーム９は、それぞれ前方フレーム６と後方フレーム７を結合するように前後方向に向けて配置されている。
【００２１】
左右の外側結合フレーム８は、それぞれ前方フレーム６と後方フレーム７を結合するように前後方向に向けて配置されている。左右の外側結合フレーム８の後端には、左右の連結プレート１５を介して砕土鎮圧用ローラ装置１６が取付けられている。
【００２２】
複数の取付けアーム１０は、図２及び図３に示すように、左右方向に間隔をおいて後方フレーム７に固定されており、しかも下方かつ交互に前方及び後方に向けて固定されている。
【００２３】
即ち、後方フレーム７の左右端寄り及び中央に、それぞれ取付けアーム１０が下方かつ前方に伸びるように取付けられており、後方フレーム７の左右の内側寄りに、それぞれ取付けアーム１０が下方かつ後方に伸びるように取付けられている。
【００２４】
前方掘削ユニット１３及び後方掘削ユニット１４は、それぞれ取付けアーム１０を介して、後方フレーム７に取付けられ、図２に示すように、平面視の左右方向において、交互に配置されている。
【００２５】
前方掘削ユニット１３は、ビーム２１、チゼル２５、ウイング３０及びカットナイフ２６を有する。同様に、後方掘削ユニット１４は、ビーム２１、チゼル２５、ウイング３０及びカットナイフ２６を有する。
【００２６】
前方掘削ユニット１３及び後方掘削ユニット１４のビーム２１には、それぞれ下端前面に、図５（ａ）に示すように、チゼル２５が固定されている。そして、チゼル２５の前面にカットナイフ２６が固定されている。
【００２７】
詳細は後記するが、前方掘削ユニット１３及び後方掘削ユニット１４のビーム２１の前面に、それぞれ図５（ａ）、（ｂ）に示すように、ウイング３０、チゼル２５及びカットナイフ２６を順次重ね、タップボルト２７を、ビーム２１、ウイング３０及びチゼル２５を通して挿通し、カットナイフ２６に形成されたタップ孔５１に螺着することで、共に固定する構成とした。
【００２８】
マスト１１は、前方フレーム６の中央に斜め上方に向けて伸びるように固定されている。左右のロアリンク支持ブラケット１２は、前方フレーム６の左右に固定されており、その前端には、後記するジョイント３の装着部３５の切欠き部６０に装着するジョイント装着用ピン６３が設けられている。
【００２９】
ジョイント３は、図４に示すように、略Ａ字型のフレーム３３と、フレーム３３の中央上部に固定された左右一対の頂部取付片３４と、フレーム３３の左右下端部にそれぞれ固定された装着部３５と、フレーム３３に固定された装着プレート６５を備えている。
【００３０】
装着部３５は、その前部にロアリンク４１に装着するロアリンク取付け用ピン４３を有するとともに、後部に左右のロアリンク支持ブラケット１２を装着するための切欠き部６０を有する。この切欠き部６０には、留め具６１が出没可能に弾力的に突出している。  
【００３１】
頂部取付片３４は、アッパリンク取付け用のピン孔３６を備えており、装着プレート６５は、スタブルカルチ作業機１のマスト取付け軸３７を嵌合する切欠き部３８を備えている。ジョイント３の上部は、トラクタ３９のアッパリンク４０の取付け用ピン４２を、ピン孔３６に挿入して装着する。ジョイント３の下部は、装着部３５のロアリンク取付け用ピン４３を介して、トラクタ３９のロアリンク４１の下部に装着する。
【００３２】
そして、スタブルカルチ作業機１のマスト取付け軸３７を、ジョイント３の装着プレート６５の切欠き部３８に嵌合して装着するとともに、スタブルカルチ作業機１の左右のロアリンク支持ブラケット１２の前端に設けられたジョイント装着用ピン６３を、ジョイント３の装着部３５の切欠き部６０に装着して留め具６１で留めて装着することで、スタブルカルチ作業機１をジョイント３に取付けることができる。           
【００３３】
図５（ａ）に示すように、チゼル２５の前面にカットナイフ２６が固定されている。カットナイフ２６は、図５（ｂ）に示すように、側面視で、底辺部４４と、第１の斜辺部４５と、第２の斜辺部４６とから成る二等片三角形に形成されている。                    
【００３４】
底辺部４４は、凸部４９が形成されている。チゼル２５の前面にはカットナイフ２６の凸部４９がチゼル２５の前面に沿う曲面に形成されている。
【００３５】
カットナイフ２６の凸部４９には、図５（ｂ）に示すように、タップボルト螺着用のタップ孔５１が形成されている。
【００３６】
カットナイフ２６の第１の斜辺部４５には第１の切断刃５４が形成されており、第２の斜辺部４６には第２の切断刃５５が形成されている。第１の切断刃５４と第２の切断刃５５は、互いに同じ構成であり、対称的に形成されている。
【００３７】
カットナイフ２６は、その凸部４９をチゼル２５の曲面に沿う状態でチゼル２５の前面に当接し、タップボルト２７をビーム２１の下方からチゼル２５のビーム２１のボルト挿通孔５７、ウイング３０のボルト挿通孔６４、及びチゼル２５のボルト挿通孔５８を通してカットナイフ２６のタップ孔５１に螺着する。このようにして、ビーム２１にチゼル２５及びウイング３０を固定するとともに、チゼル２５の前面にカットナイフ２６を固定する。
【００３８】
（作用）               
以上の構成から成るスタブルカルチ作業機１の作用を説明する。上記のとおりビーム２１にチゼル２５、カットナイフ２６及びウイング３０を取付けたスタブルカルチ作業機１を、ジョイント３を介してトラクタ３９に連結する。
【００３９】
そして、耕耘すべき圃場において、トタラクタ３９でスタブルカルチ作業機１を前方に牽引して移動する。すると、圃場の比較的浅い部分をチゼル２５で掘削し、その直後、カットナイフ２６によって、粘土質等の土塊を切断して割り、耕耘する。
【００４０】
ところで、スタブルカルチ作業機１をある程度長い期間使用すると、カットナイフ２６が、粘土質の硬い土、砂質土壌、土塊、小石等によって、徐々に摩耗、損傷し、切断する性能が低下する。このような場合は、タップボルト２７を緩めて取り外し、カットナイフ２６の前後を逆にして、第１の切断刃５４に替えて第２の切断刃５５を前方（作業方向）に向け、再び、タップボルト２７によって、チゼル２５の前面にカットナイフ２６を固定する。
【００４１】
これによって、摩耗、損傷した切断性能の低下した第１の切断刃５４に替えて、新たに第２の切断刃５５が前方に向けて取付けられるので、土塊の切断性能をリフレッシュすることができる。
【００４２】
そのために、従来のスタブルカルチ作業機１のように、予備のカットナイフ２６を用意しなくてもよい、或いは用意する場合でもより少ない数だけ用意すればよいので、スタブルカルチ作業機１の耕耘効率を上げることができ、また経済的効果も向上する。
【００４３】
なお、スタブルカルチ作業機１は、すでにアッパリンク４０及びロアリンク４１に取付けられたジョイント３に装着すればよいので、スタブルカルチ作業機１は、アッパリンク４０及びロアリンク４１に取付ける手間が省け、ジョイント３を介して簡単にトラクタ３９に装着することが可能である。
【００４４】
もちろん、スタブルカルチ作業機１は、そのマスト１１及び左右のロアリンク支持ブラケット１２を、直接、トラクタ３９のアッパリンク４０及びロアリンク４１に取付けて利用してもよい。
【００４５】
以上、本発明に係る圃場作業機を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４６】
本発明に係る圃場作業機は上記のような構成であるから、チゼルの前面にカットナイフを取付ける構成を備えた圃場作業機であれば、スタブルカルチ作業機に限らず、スタブルカルチ作業機兼用のサブソイラ作業機等、その他の圃場作業機にも適用可能である。
【符号の説明】
【００４７】
１  スタブルカルチ作業機
２  ３点ヒッチリンク
３  ジョイント
６  前方フレーム
７  後方フレーム
８  左右の外側結合フレーム
９  左右の内側結合フレーム
１０  取付けアーム
１１  マスト
１２  左右のロアリンク支持ブラケット
１３  前方掘削ユニット
１４  後方掘削ユニット
１５  左右の連結プレート
１６  砕土鎮圧用ローラ装置
２１  ビーム
２５  チゼル
２６  カットナイフ
２７  タップボルト
３０  ウイング
３３  略Ａ字型のフレーム
３４  頂部取付片
３５  装着部
３６  アッパリンク取付け用のピン孔
３７  マスト取付け軸
３８  マスト取付け軸を嵌合する装着プレートの切り欠き部
３９  トラクタ
４０  トラクタのアッパリンク
４１  トラクタのロアリンク
４２  アッパリンク取付け用ピン
４３  ロアリンク取付け用ピン
４４  カットナイフの底辺部 
４５  カットナイフの第１の斜辺部
４６  カットナイフの第２の斜辺部
４９  カットナイフの底辺部の凸部
５０  チゼルの凹部
５１  カットナイフのタップ孔 
５４  カットナイフの第１の切断刃
５５  カットナイフの第２の切断刃
５７  ビームのボルト挿通孔
５８  チゼルのボルト挿通孔
６０  切欠き部
６１  留め具
６３  ジョイント装着用ピン
６４  ウイングのボルト挿通孔
６５  装着プレート
７０  スタブルカルチ作業機
７１  カットナイフ
７２  切断刃
【図１】
2014180229.tif 000003
【図２】
2014180229.tif 000004
【図３】
2014180229.tif 000005
【図４】
2014180229.tif 000006
【図５】
2014180229.tif 000007
【図６】
2014180229.tif 000008
【図７】
2014180229.tif 000009